(57)【特許請求の範囲】
【請求項１】
送付主に関する情報が書き込まれたＩＣモジュール部材と、印刷物と、前記ＩＣモジュール部材および前記印刷物を封入するための封筒とを備えたＩＣモジュール部材入り封書の製造方法であって、
前記ＩＣモジュール部材に情報を書き込む書込み工程と、
前記情報が書き込まれたＩＣモジュール部材および前記印刷物を前記封筒に封入封緘する封入封緘工程と、
前記封筒に封入された前記ＩＣモジュール部材から読み取った情報に基づいて、前記封筒に送付主に関する情報を印刷する印刷工程とを含むことを特徴とする製造方法。
【請求項２】
送付主に関する情報が書き込まれたＩＣモジュール部材と、印刷物と、前記ＩＣモジュール部材および前記印刷物を封入するための封筒とを備えたＩＣモジュール部材入り封書の製造方法であって、
前記封筒に送付主に関する情報を印刷する印刷工程と、
前記ＩＣモジュール部材および前記印刷物を前記封筒に封入封緘する封入封緘工程と、
前記封筒に印刷された送付主に関する情報に基づいて、前記封筒に封入された前記ＩＣモジュール部材に情報を書き込む書込み工程とを含むことを特徴とする製造方法。
【発明の詳細な説明】
【０００１】
【発明の属する技術分野】
本発明は、ギフト用ＩＣ封書および該ＩＣ封書の製造方法に関し、特にギフトの申込みおよび受付け処理のために顧客に送付する封書の形態およびその製造方法に関するものである。
【０００２】
【従来の技術】
従来、お中元やお歳暮の時期には、百貨店などから多数の顧客に対して、ギフトの申込みおよび受付け処理のための封書（ダイレクトメール）が送付される。
通常、この種のギフト用封書には、各顧客の過去のギフト送付先に関する情報が印刷されたＯＣＲ帳票と、ギフトに関する情報が印刷されたチラシまたは冊子とが同封されている。
【０００３】
【発明が解決しようとする課題】
上述のような従来のギフト用封書では、ＯＣＲ帳票に送付先に関する情報が予め印刷されており、各送付先に送付すべきギフトに関する情報を手書きで追記する形態になっている。したがって、従来技術では、ＯＣＲ帳票に予め印刷された送付先に関する情報および手書きで追記されたギフトに関する情報をＯＣＲ処理で読み取り、読み取った情報に基づいて配送処理を行うことになる。
【０００４】
本発明は、前述の課題に鑑みてなされたものであり、ＯＣＲ処理により送付先およびギフトに関する情報を読み取ることなく、迅速に且つ正確に配送処理を行うことのできる、ギフト用ＩＣ封書および該ＩＣ封書の製造方法を提供することを目的とする。
【０００５】
【課題を解決するための手段】
前記課題を解決するために、本発明の第１発明では、送付主に関する情報が書き込まれたＩＣモジュール部材と、印刷物と、前記ＩＣモジュール部材および前記印刷物を封入するための封筒とを備えたＩＣモジュール部材入り封書の製造方法であって、
前記ＩＣモジュール部材に情報を書き込む書込み工程と、
前記情報が書き込まれたＩＣモジュール部材および前記印刷物を前記封筒に封入封緘する封入封緘工程と、
前記封筒に封入された前記ＩＣモジュール部材から読み取った情報に基づいて、前記封筒に送付主に関する情報を印刷する印刷工程とを含むことを特徴とする製造方法を提供する。
【０００８】
本発明の第２発明では、送付主に関する情報が書き込まれたＩＣモジュール部材と、印刷物と、前記ＩＣモジュール部材および前記印刷物を封入するための封筒とを備えたＩＣモジュール部材入り封書の製造方法であって、
前記封筒に送付主に関する情報を印刷する印刷工程と、
前記ＩＣモジュール部材および前記印刷物を前記封筒に封入封緘する封入封緘工程と、
前記封筒に印刷された送付主に関する情報に基づいて、前記封筒に封入された前記ＩＣモジュール部材に情報を書き込む書込み工程とを含むことを特徴とする製造方法を提供する。
【００１２】
【発明の実施の形態】
本発明のＩＣ封書では、ギフトの送付先に関する情報およびギフトの送付主に関する情報が書き込まれたＩＣカードと、ギフトに関する情報が印刷された印刷物とが、封筒に封入されている。さらに具体的な態様によれば、印刷物はギフトに関する情報がそれぞれ印刷された複数枚の情報用紙を有し、封筒は１枚の封筒用紙を有する。そして、封筒用紙には複数枚の情報用紙が帳合された状態で取り付けられ、封筒用紙を折り合わせて周辺部を互いに貼着した状態で封筒が構成されている。
【００１３】
以上のように、本発明では、ギフトの送付先に関する情報およびギフトの送付主に関する情報が、電子情報としてＩＣカードに書き込まれている。したがって、ギフトの送付主である各顧客が受け取ったＩＣカードをたとえば百貨店などへ持参すると、百貨店ではＩＣカードからギフトの送付先に関する情報およびギフトの送付主に関する情報を読み出し、読み出した情報をコンピュータのディスプレイなどに表示することができる。
【００１４】
その結果、ＩＣカードとともに送付された複数枚の情報用紙に印刷されたギフト情報を予め検討してきた各顧客は、ディスプレイの表示を参照しながら各送付先へのギフトを選択することができ、百貨店の係員は各顧客が選択したギフト情報をコンピュータに入力することができる。こうして、本発明では、ＯＣＲ帳票を用いる従来技術とは異なり、送付先およびギフトに関する情報をＯＣＲ処理により読み取ることなく、ＩＣカードから読み出されたギフトの送付先に関する電子情報とコンピュータ入力されたギフトに関する電子情報とに基づいて、紙媒体を介することなく迅速に且つ正確に配送処理を行うことができる。
【００１５】
本発明の実施形態を、添付図面に基づいて説明する。
図１は、本発明の実施形態にかかるギフト用ＩＣ封書の構成を概略的に示す図である。本実施形態では、お中元やお歳暮の時期に際して百貨店が各顧客に対してギフトの申込みおよび受付け処理のために送付するギフト用封書に本発明を適用している。
【００１６】
図１に示すように、本実施形態のＩＣ封書１は、最終的に封筒を構成するように形成された１枚の矩形状の封筒用紙２を備えている。封筒用紙２には、ギフト（すなわち商品）に関する情報などがそれぞれ印刷された複数枚（図１では５枚）の情報用紙３ａ〜３ｅが帳合された状態で貼付されている（取り付けられている）。すなわち、情報用紙３ａ〜３ｅは、ギフトに関する情報が印刷された印刷物を構成している。
【００１７】
そして、情報用紙３ｅには、ギフトの送付先に関する情報およびギフトの送付主に関する情報が書き込まれたＩＣカード４、あるいはギフトの送付先に関する情報およびギフトの送付主に関する情報を書き込むためのＩＣカード４が取り付けられている。ここで、ギフトの送付主に関する情報とは、ＩＣ封書１の送付される顧客に関する情報であって、その氏名、住所、電話番号などの情報を含んでいる。
【００１８】
一方、ギフトの送付先に関する情報とは、ＩＣ封書１が送付される顧客が過去にギフトを送付した多数の送付先に関する情報であって、その氏名、住所、電話番号などの情報を含んでいる。ＩＣカード４は、たとえば斜めに形成された一対の切込みを利用して情報用紙３ｅに取り付けられている。すなわち、情報用紙３ｅは、ギフトに関する情報が印刷された印刷物を構成するとともに、ＩＣカード４を取り付けるためのカード台紙の機能を有する。なお、ＩＣカード４の情報用紙３ｅへの取り付けに際して、切込み以外の他の適当な手段を利用することもできる。
【００１９】
また、ＩＣカード４を情報用紙３ｅに取り付けることなく、最終的に形成される封筒の中にＩＣカード４を単に収容するように構成することもできる。さらに、本発明において、ＩＣカードとは、ＩＣラベルやＩＣタグなどと呼称される、一般の非接触型ＩＣモジュール部材を広く含む概念である。したがって、ＩＣカード４に代えてＩＣラベルを用いる場合には、ＩＣラベルを情報用紙３ｅに貼付してもよいし、封筒用紙２や他の情報用紙３ａ〜３ｄに貼付することもできる。
以下、ＩＣラベルの構成について簡単に説明する。
【００２０】
図２は、ＩＣラベルの構成を概略的に示す図である。図２に示すように、ＩＣラベル２０は、情報記憶部（メモリ部）を有するＩＣモジュール（またはＩＣチップ）２１と、ＩＣモジュール２１に接続されて非接触方式の通信（すなわちデータの送受信）を行うためのアンテナ２２とを備えている。なお、図２（ｂ）に示すように、ＩＣモジュール２１およびアンテナ２２は、たとえば透明な基材シート２３の内部に組み込まれている。
【００２１】
ここで、ＩＣモジュール２１、アンテナ２２および基材シート２３は、ＩＣインレット２４を構成している。そして、基材シート２３の一方の側には表用紙２５が貼着され、他方の側には裏用紙２６が貼着されている。表用紙２５の図中上側面（すなわちＩＣラベル２０の表面）には、必要に応じて所要の情報（たとえば各顧客の氏名など）が印刷される。ＩＣラベル２０は、所定の台紙（不図示）上に貼付されており、使用時には各ＩＣラベル２０を台紙から剥がして情報用紙３ｅなどに貼付される。
【００２２】
再び図１を参照すると、封筒用紙２は、折り合わされて周辺部が互いに貼着された状態で封筒２を構成することになる。なお、封筒２の周辺部には、ひいては封筒用紙２の対応部分には、開封用のミシン目２ａ〜２ｃが形成されている。したがって、ＩＣ封書１を受け取った各顧客は、開封用のミシン目２ａ〜２ｃに沿って周辺部を手で切り落とすことにより、ＩＣ封書１を非常に簡単に開封することができる。
【００２３】
以上のように、本実施形態では、ギフトの送付先に関する情報およびギフトの送付主に関する情報が、電子情報としてＩＣカード４に書き込まれている。したがって、各顧客が受け取ったＩＣカード４を百貨店へ持参すると、百貨店ではＩＣカード４からギフトの送付先に関する情報およびギフトの送付主に関する情報を読み出し、読み出した情報をコンピュータのディスプレイなどに表示することができる。
【００２４】
一方、各顧客は、ＩＣカード４とともに送付された情報用紙３ａ〜３ｅに印刷されたギフト情報を予め検討している。その結果、各顧客はディスプレイの表示を参照しながら各送付先へのギフトを迅速に選択することができ、百貨店の係員は各顧客が選択したギフト情報をコンピュータに入力することができる。こうして、本実施形態では、ＯＣＲ帳票を用いる従来技術とは異なり、送付先およびギフトに関する情報をＯＣＲ処理により読み取ることなく、ＩＣカード４から読み出されたギフトの送付先に関する電子情報とコンピュータ入力されたギフトに関する電子情報とに基づいて、紙媒体を介することなく迅速に且つ正確に配送処理を行うことができる。
【００２５】
また、本実施形態では、情報用紙３ａ〜３ｅが帳合された状態で封筒用紙２に貼付され且つＩＣカード４が情報用紙３ｅに取り付けられているので、換言するとＩＣ封書１の中身が封筒用紙２と一体化されているので、ＩＣ封書１の開封に際してその中身が脱落したり散逸したりすることがない。また、ＩＣ封書１が特殊な形態を有するため、開封率の向上を期待することができる。さらに、封筒に内容物を封入して封緘する従来の封入封緘工程が不要であるため、ＩＣ封書１を安価に製造することができる。
【００２６】
なお、上述の実施形態において、印刷物である情報用紙３ａ〜３ｅには、送付主である各顧客の年齢や性別などに応じて適宜選択された情報が印刷されていることが好ましい。この構成により、各顧客のギフト選択の満足度を向上させるとともに、百貨店への来店率を向上させることができる。また、ＩＣカード４には、情報用紙３ａ〜３ｅに印刷された情報を含むギフト情報が書き込まれていることが好ましい。この構成により、ギフト選択およびそのコンピュータ入力が容易になる。
【００２７】
次に、上述の実施形態にかかるＩＣ封書１の製造方法について簡単に説明する。図３は、本実施形態にかかるＩＣ封書の第１製造方法の処理フローを示すフローチャートである。図３に示すように、第１製造方法では、情報の書き込まれていないＩＣカード４を用いてＩＣ封書１を形成する（Ｓ１１）。そして、送付主である各顧客に関する情報を、すなわち各顧客の氏名、住所、対応するバーコードなどをＩＣ封書１に印刷する（Ｓ１２）。
【００２８】
次いで、バーコードリーダを用いて、ＩＣ封書１に印刷されたバーコードを読み取る（Ｓ１３）。ここで、バーコード情報は、各顧客に関する情報と、各顧客の過去のギフト送付先に関する情報とを関連付けている。そこで、読み取ったバーコード情報に基づいて、ＩＣ封書１に封入されたＩＣカード４に、各顧客に関する情報およびギフト送付先に関する情報をエンコーダを用いて書き込む（Ｓ１４）。なお、第１製造方法では、ＩＣ封書１の形成後にＩＣ封書１に各顧客に関する情報を印刷しているが、ＩＣ封書１の形成に先立ってＩＣ封書１に（厳密には封筒用紙２）に各顧客に関する情報を印刷することもできる。また、第１製造方法によれば、印刷工程Ｓ１２、読取り工程Ｓ１３、および書込み工程Ｓ１４を百貨店で行うこともできる。
【００２９】
図４は、本実施形態にかかるＩＣ封書の第２製造方法の処理フローを示すフローチャートである。図４に示すように、第２製造方法では、送付主である各顧客に関する情報およびギフト送付先に関する情報をエンコーダを用いてＩＣカード４に書き込む（Ｓ２１）。そして、情報の書き込まれたＩＣカード４を用いてＩＣ封書１を形成する（Ｓ２２）。次に、リーダーを用いて、ＩＣ封書１に封入されたＩＣカード４から各顧客に関する情報を読み出す（Ｓ２３）。最後に、ＩＣカード４から読み出した情報に基づいて、各顧客に関する情報を、すなわち各顧客の氏名、住所などをＩＣ封書１に印刷する（Ｓ２４）。
【００３０】
なお、上述の実施形態では、百貨店が各顧客に対してギフトの申込みおよび受付け処理のために送付するギフト用封書に本発明を適用しているが、これに限定されることなく、一般的なギフト用封書に本発明を適用することができる。また、ギフト用封書に限定されることなく、一般的なＩＣ封書およびその製造方法に本発明を適用することもできる。
【００３１】
【発明の効果】
以上説明したように、本発明では、ＩＣカードから読み出されたギフトの送付先に関する電子情報と、たとえばコンピュータ入力されたギフトに関する電子情報とに基づいて、紙媒体を介することなく、迅速に且つ正確に配送処理を行うことができる。
【図面の簡単な説明】
【図１】本発明の実施形態にかかるギフト用ＩＣ封書の構成を概略的に示す図である。
【図２】ＩＣラベルの構成を概略的に示す図である。
【図３】本実施形態にかかるＩＣ封書の第１製造方法の処理フローを示すフローチャートである。
【図４】本実施形態にかかるＩＣ封書の第２製造方法の処理フローを示すフローチャートである。
【符号の説明】
１  ＩＣ封書
２  封筒用紙（封筒）
３  情報用紙
４  ＩＣカード
２０  ＩＣラベル
２１  ＩＣモジュール
２２  アンテナ
２３  基材シート
２４  ＩＣインレット
【図１】
0004570117.tif 000002
【図２】
0004570117.tif 000003
【図３】
0004570117.tif 000004
【図４】
0004570117.tif 000005